(57)【要約】【課題】構築物の屋内において、袋状構造体の内部に送風機により空気を送り込んで袋状構造体を空気圧で膨らませ、外部との空気圧の差によって自立させ、気密な出入口部を存する空気膜構造の内部空間は生活空間として使用することができる。【解決手段】構築物Ｋの屋内に設置され、柔軟性薄膜材Ｆにより形成され、床膜部Ｆ１、壁膜部Ｆ２及び天膜部Ｆ３が一体的に形成された袋状構造体Ｂを備えてなり、袋状構造体には気密な出入口部Ｅが形成され、袋状構造体の内部に送風機Ｓにより空気Ａを送り込んで袋状構造体を空気圧Ｐで膨らませ、外部との空気圧の差によって自立させ、膨らんだ袋状構造体の内部空間Ｒは生活空間として使用され、袋状構造体の内部空間の空気を排出してしぼませて可搬可能な空気膜構造Ｍを備えてなる。【選択図】図１
2020190106.tif 000002
【特許請求の範囲】
【請求項１】
構築物の屋内に設置され、柔軟性薄膜材により形成され、床膜部、壁膜部及び天膜部が一体的に形成された袋状構造体を備えてなり、袋状構造体には気密な出入口部が形成され、袋状構造体の内部に送風機により空気を送り込んで袋状構造体を空気圧で膨らませ、外部との空気圧の差によって自立させ、膨らんだ袋状構造体の内部空間は生活空間として使用され、袋状構造体の内部空間の空気を排出してしぼませて可搬可能な空気膜構造を備えてなり、上記袋状構造体は上記床膜部、壁膜部及び天膜部が一体的に形成された略直方体状に形成され、上記柔軟性薄膜材の生地は難燃材料とされ、かつ、上記柔軟性薄膜材は光の透過度が４０％以上の白色系の生地であることを特徴とする空気膜構造の仮設建造物。
【請求項２】
上記柔軟性薄膜材は合成樹脂繊維の織布を合成樹脂で被覆した生地であることを特徴とする請求項１記載の空気膜構造の仮設建造物。
【請求項３】
上記柔軟性薄膜材の生地の重さは３０ｇ／ｍ２〜１２０ｇ／ｍ２の範囲内であることを特徴とする請求項１又は２記載の空気膜構造の仮設建造物。
【請求項４】
上記送風機は送風機能をもつ暖房機であることを特徴とする請求項１〜３のいずれか１項に記載の空気膜構造の仮設建造物。
【請求項５】
上記送風機は送風機能をもつ暖冷房機であることを特徴とする請求項１〜４のいずれか１項に記載の空気膜構造の仮設建造物。
【発明の詳細な説明】
【技術分野】
【０００１】
本発明は、例えば、災害時の緊急避難所として使用される体育館等の構築物の屋内に設置して用いられる空気膜構造の仮設建造物に関するものである。
【背景技術】
【０００２】
従来、この種の空気膜構造の仮設建造物として、構築物の屋内に設置され、柔軟性薄膜材により形成され、床膜部、壁膜部及び天膜部が一体的に形成されたバルーン状の袋状構造体を備えてなり、袋状構造体には気密な出入口部が形成され、袋状構造体の内部に送風機により空気を送り込んで袋状構造体を空気圧で膨らませ、外部との空気圧の差によって自立させ、膨らんだ袋状構造体の内部空間は生活空間として使用され、袋状構造体の内部空間の空気を排出してしぼませて可搬可能な空気膜構造を備えた構造のものが知られている。
【先行技術文献】
【特許文献】
【０００３】
【特許文献１】特許第３２０４３９１号
【特許文献２】実用新案登録第３０６３７９３号
【発明の概要】
【発明が解決しようとする課題】
【０００４】
しかしながら上記従来構造の場合、主に屋外用とされ、降雨降雪に対する防水性及び屋外防火性を考慮して柔軟性薄膜材の生地は比較的重いものが用いられ、それだけ、床膜部、壁膜部及び天膜部が一体的に形成されたバルーン状の袋状構造体の総重量が重くなり、それだけ、袋状構造体の膨らむまでの自立膨出作業や可搬時の可搬処理性が低下することがあるという不都合を有している。
【課題を解決するための手段】
【０００５】
本発明はこれらの不都合を解決することを目的とするもので、本発明のうちで、請求項１記載の発明は、構築物の屋内に設置され、柔軟性薄膜材により形成され、床膜部、壁膜部及び天膜部が一体的に形成された袋状構造体を備えてなり、袋状構造体には気密な出入口部が形成され、袋状構造体の内部に送風機により空気を送り込んで袋状構造体を空気圧で膨らませ、外部との空気圧の差によって自立させ、膨らんだ袋状構造体の内部空間は生活空間として使用され、袋状構造体の内部空間の空気を排出してしぼませて可搬可能な空気膜構造を備えてなり、上記袋状構造体は上記床膜部、壁膜部及び天膜部が一体的に形成された略直方体状に形成され、上記柔軟性薄膜材の生地は難燃材料とされ、かつ、上記柔軟性薄膜材は光の透過度が４０％以上の白色系の生地であることを特徴とする空気膜構造の仮設建造物にある。
【０００６】
又、請求項２記載の発明は、上記柔軟性薄膜材は合成樹脂繊維の織布を合成樹脂で被覆した生地であることを特徴とするものであり、又、請求項３記載の発明は、上記柔軟性薄膜材の生地の重さは３０ｇ／ｍ２〜１２０ｇ／ｍ２の範囲内であることを特徴とするものである。
【０００７】
又、請求項４記載の発明は、上記送風機は送風機能をもつ暖房機であることを特徴とするものであり、又、請求項５記載の発明は、上記送風機は送風機能をもつ暖冷房機であることを特徴とするものである。
【発明の効果】
【０００８】
本発明は上述の如く、請求項１記載の発明にあっては、構築物の屋内において、袋状構造体の内部に送風機により空気を送り込んで袋状構造体を空気圧で膨らませ、外部との空気圧の差によって自立させ、気密な出入口部を存する空気膜構造の内部空間は生活空間として使用することができ、緊急避難所、例えば、体育館に設置し、袋状構造体を避難施設として用いることができ、袋状構造体は柔軟性薄膜材により形成され、床膜部、壁膜部及び天膜部が一体的に形成され、不使用時においては袋状構造体の内部空間の空気を排出してしぼませることにより可搬処理性及び保管性が容易となり、上記袋状構造体は上記床膜部、壁膜部及び天膜部が一体的に形成された略直方体状に形成されているから、構築物の屋内に容易に設置することができると共に屋内のスペースを有効に活用することができ、上記柔軟性薄膜材の生地は難燃材料とされているから耐火性を備えているので安全に使用することができ、かつ、上記柔軟性薄膜材は光の透過度が４０％以上の白色系の生地であるから、構築物に既設の照明設備からの照明光が柔軟性薄膜材の生地を良好に透過し、既設の照明設備からの照明光を有効活用することができ、例えば、災害時等に有効な避難施設として活用することができる。
【０００９】
又、請求項２記載の発明にあっては、上記柔軟性薄膜材は合成樹脂繊維の織布を合成樹脂で被覆した生地であるから、袋状構造体の一層の軽量化を図ることができ、又、請求項３記載の発明にあっては、上記柔軟性薄膜材の生地の重さは３０ｇ／ｍ２〜１２０ｇ／ｍ２の範囲内であるから、袋状構造体の自立の安定性を高めることができると共に軽量化により可搬処理性を向上することができ、使用の利便性を高めることができる。
【００１０】
又、請求項４記載の発明にあっては、上記送風機を送風機能をもつ暖房機とすることにより、冬期間において、暖房機能の活用によって、袋状構造体の内部空間を快適な生活空間として使用することができ、又、請求項５記載の発明にあっては、上記送風機として送風機能をもつ暖冷房機とすることにより、夏期間において、暖冷房機能の活用によって、袋状構造体の内部空間を快適な生活空間として使用することができる。
【図面の簡単な説明】
【００１１】
【図１】本発明の実施の形態例の全体斜視図である。
【図２】本発明の実施の形態例の全体正断面図である。
【図３】本発明の実施の形態例の全体平断面図である。
【発明を実施するための形態】
【００１２】
図１乃至図３は本発明の実施の形態例を示し、Ｂは袋状構造体であって、体育館等の構築物Ｋの屋内に設置され、柔軟性薄膜材Ｆにより形成され、床膜部Ｆ１、４個の壁膜部Ｆ２・Ｆ２・Ｆ２・Ｆ２及び天膜部Ｆ３が一体的に形成されてなり、袋状構造体Ｂには気密な出入口部Ｅが形成され、袋状構造体Ｂの内部に送風機Ｓにより空気Ａを送り込んで袋状構造体Ｂを空気圧Ｐで膨らませ、外部との空気圧Ｐの差によって自立させ、膨らんだ袋状構造体Ｂの内部空間Ｒは生活空間として使用され、袋状構造体Ｂの内部空間Ｒの空気Ａを排出してしぼませて可搬可能な空気膜構造Ｍに構成されている。
【００１３】
この場合、図１、図２の如く、上記袋状構造体Ｂは床膜部Ｆ１、４個の壁膜部Ｆ２・Ｆ２・Ｆ２・Ｆ２及び天膜部Ｆ３が一体的に形成された略直方体状に形成され、上記柔軟性薄膜材Ｆの生地は難燃材料であり、かつ、上記柔軟性薄膜材Ｆは白色系の生地で構成されている。なお、袋状構造体Ｂには重合状態に折り重なる構造を採用した気密な出入口部Ｅ及びファスナ構造の出入口部Ｅ１が形成され、かつ、空気圧調整用の穴部Ｆ４やファスナ構造の開閉可能な送風機Ｓの機体出入口部Ｆ５が形成されている。
【００１４】
すなわち、直方体とは、六面のすべてが直角に交わる長方形又は正方形からなる六面体をいう。
【００１５】
また、上記難燃材料とは、燃えにくい材料、あるいは、可燃性の材料に難燃薬剤を塗布または含浸するなどの難燃処理を行った材料をいう。
【００１６】
また、上記光の透過度が４０％以上とは、特定の波長の入射光が通過する割合をいい、又、白色系の生地とは白色又は乳白色、クリーム色、アイボリー等の白色に近似する色の生地を含むものである。
【００１７】
又、この場合、上記柔軟性薄膜材Ｆは合成樹脂繊維の織布を合成樹脂で被覆した生地とされ、例えば、合成樹脂繊維としてのポリエステル繊維を平織した織布に合成樹脂としてのポリウレタン樹脂で被覆した生地が用いられ、又、上記柔軟性薄膜材Ｆの生地の重さは３０ｇ／ｍ２〜１２０ｇ／ｍ２の範囲内とされ、所謂、生地目付けであって、１平方メートル当たりのグラム数をいい、生地の重さが３０ｇ／ｍ２未満であると袋状構造体Ｂを空気圧Ｐで膨らませて自立させる自立性が不安定になり易く、又、生地の重さが１２０ｇ／ｍ２を超えると膨らませて自立性は安定するものの軽量化に反して可搬処理性が低下することがあり好ましくない。
【００１８】
又、この場合、上記送風機Ｓは袋状構造体Ｂの内部又は外部に設置され、空気取入口Ｓ１から空気送出口Ｓ２へと空気Ａを袋状構造体Ｂの内部に送り込むことになる。
【００１９】
この送風機Ｓとして送風機能をもつ暖房機ＳＤが用いられたり、又、上記送風機Ｓは送風機能をもつ暖冷房機ＳＬが用いられることがある。
【００２０】
この実施の形態例は上記構成であるから、図１の如く、構築物Ｋの屋内において、袋状構造体Ｂの内部に送風機Ｓにより空気Ａを送り込んで袋状構造体Ｂを空気圧Ｐで膨らませ、外部との空気圧Ｐの差によって自立させ、気密な出入口部Ｅを存する空気膜構造Ｍの内部空間Ｒは生活空間として使用することができ、緊急避難所、例えば、体育館に設置し、袋状構造体Ｂを避難施設として用いることができ、袋状構造体Ｂは柔軟性薄膜材Ｆにより形成され、床膜部Ｆ１、４個の壁膜部Ｆ２・Ｆ２・Ｆ２・Ｆ２及び天膜部Ｆ３が一体的に形成され、不使用時においては袋状構造体Ｂの内部空間Ｒの空気Ａを排出してしぼませることにより可搬処理性及び保管性が容易となり、上記袋状構造体Ｂは上記床膜部Ｆ１、４個の壁膜部Ｆ２・Ｆ２・Ｆ２・Ｆ２及び天膜部Ｆ３が一体的に形成された略直方体状に形成されているから、構築物Ｋの屋内に容易に設置することができると共に屋内のスペースを有効に活用することができ、上記柔軟性薄膜材Ｆの生地は難燃材料とされているから耐火性を備えているので安全に使用することができ、かつ、上記柔軟性薄膜材Ｆは光の透過度が４０％以上の白色系の生地であるから、構築物Ｋに既設の照明設備からの照明光が柔軟性薄膜材Ｆの生地を良好に透過し、既設の照明設備からの照明光を有効活用することができ、例えば、災害時等に有効な避難施設として活用することができる。
【００２１】
この場合、上記柔軟性薄膜材Ｆは合成樹脂繊維の織布を合成樹脂で被覆した生地であるから、袋状構造体Ｂの一層の軽量化を図ることができ、又、この場合、上記柔軟性薄膜材Ｆの生地の重さは３０ｇ／ｍ２〜１２０ｇ／ｍ２の範囲内であるから、袋状構造体Ｂの自立の安定性を高めることができると共に軽量化により可搬処理性を向上することができ、使用の利便性を高めることができる。
【００２２】
又、この場合、上記送風機Ｓを送風機能をもつ暖房機ＳＤとすることにより、冬期間において、暖房機能の活用によって、袋状構造体Ｂの内部空間Ｒを快適な生活空間として使用することができ、又、この場合、上記送風機Ｓとして送風機能をもつ暖冷房機ＳＬとすることにより、夏期間において、暖冷房機能の活用によって、袋状構造体Ｂの内部空間Ｒを快適な生活空間として使用することができる。
【００２３】
尚、本発明は上記実施の形態例のものに限られず、袋状構造体Ｂ、構築物Ｋ、柔軟性薄膜材Ｆ、床膜部Ｆ１、壁膜部Ｆ２、天膜部Ｆ３、出入口部Ｅ、送風機Ｓ、内部空間Ｒ、空気膜構造Ｍ、暖房機ＳＤ、暖冷房機ＳＬの構造等は適宜変更して設計されることになる。
【００２４】
以上の如く、所期の目的を充分達成することができる。
【符号の説明】
【００２５】
Ｂ    袋状構造体
Ｋ    構築物
Ｆ    柔軟性薄膜材
Ｆ１    床膜部
Ｆ２    壁膜部
Ｆ３    天膜部
Ｅ    出入口部
Ｓ    送風機
Ａ    空気
Ｐ    空気圧
Ｒ    内部空間
Ｍ    空気膜構造
ＳＤ    暖房機
ＳＬ    暖冷房機
【図１】
2020190106.tif 000003
【図２】
2020190106.tif 000004
【図３】
2020190106.tif 000005